(57)【要約】      （修正有）【課題】車両前部への所定の高荷重作用時に安定した乗員保護性能を確保することができ、しかも通常のペダル操作時の剛性を確保することができる車両用ペダル支持構造を得る。【解決手段】ブレーキペダル１０の上端部は上方かつ後方側へ延出されており、これにより湾曲形状の受圧部４０が形成されている。一方、ペダルブラケット１６の後端側は受圧部４０よりも上方かつ後方側へ延出されており、これにより押圧部４２が形成されている。受圧部４０と押圧部４２との間の隙間４４の入口側には、ガイド３４のガイド溝４６に移動可能に配置されたガイドピン４８が楔として差し込まれている。従って、車両前部への所定の高荷重作用時、ペダルブラケット１８は塑性変形することなく後方へ変位し、これによりガイドピン４８が隙間４４に食い込み、押圧部４２に反力を取って受圧部４０を下方へ押圧する。【選択図】図１
2005075098.tif 000002
【特許請求の範囲】
【請求項１】
ダッシュパネルに前端側が取り付けられたペダルブラケットに、下端部に乗員の踏力が付与される踏面を備えた吊り下げ式の車両用ペダルを、ペダルボスを中心として揺動可能に支持する車両用ペダル支持構造であって、
前記車両用ペダルにはペダルボスよりも上方側に位置する受圧部が設けられていると共に、前記ペダルブラケットの後端側には前記受圧部よりも上方側に位置する押圧部が設けられており、
ペダルブラケットの後方変位時には前記受圧部と前記押圧部との間に差し込まれ、ペダルブラケットの後方変位に伴って受圧部と押圧部との間に食い込むことで受圧部に押圧部から離間する方向へのペダルボス回りの回転力を付与するペダル回転変位手段を設けた、
ことを特徴とする車両用ペダル支持構造。
【請求項２】
ダッシュパネルに前端側が取り付けられたペダルブラケットに、下端部に乗員の踏力が付与される踏面を備えた吊り下げ式の車両用ペダルを、ペダルボスを中心として揺動可能に支持する車両用ペダル支持構造であって、
前記車両用ペダルにはペダルボスよりも上方側に位置する受圧部が設けられていると共に、前記ペダルブラケットの後端側には前記受圧部よりも上方側に位置する押圧部が設けられており、
ペダルブラケットの後方変位時には前記受圧部と前記押圧部との間に差し込まれ、ペダルブラケットの後方変位に伴って受圧部及び押圧部に対する相対的な当接位置がペダルボス側へずれることで受圧部に押圧部から離間する方向へのペダルボス回りの回転力を付与するペダル回転変位手段を設けた、
ことを特徴とする車両用ペダル支持構造。
【請求項３】
前記ペダル回転変位手段は、
前記受圧部と前記押圧部との間に差し込まれる楔部材と、
前記ダッシュパネルよりも後方側に配置された高強度の車体側構成部材に支持され、前記楔部材を前記ペダルボス側へ移動可能に保持しかつペダルブラケットの後方変位時には当該楔部材を当該ペダルボス側へ移動させるガイド部を備えた支持部材と、
を含んで構成されている、
ことを特徴とする請求項１又は請求項２記載の車両用ペダル支持構造。
【発明の詳細な説明】
【技術分野】
【０００１】
本発明は、ダッシュパネルに前端側が取り付けられたペダルブラケットに吊り下げ式の車両用ペダルを揺動可能に支持する車両用ペダル支持構造に関する。
【背景技術】
【０００２】
ダッシュパネルの所定位置には、ダッシュパネルを挟むようにして、前面側にマスタシリンダ及びブレーキブースタが配設されており、又後面側にペダルブラケットが配設されている。ペダルブラケットには吊り下げ式のブレーキペダルのペダルボスが揺動可能に支持されており、ブレーキペダルのペダルアームとブレーキブースタとはプッシュロッドによって相対回転可能に連結されている。
【０００３】
ところで、車両前部に所定値以上の高荷重が作用すると、その際の荷重がエンジン等を介してマスタシリンダ及びブレーキブースタに入力され、ダッシュパネルを車両後方側へ変位させることがある。この場合、ペダルブラケット及びブレーキペダルも同様に車両後方側へ変位するため、乗員保護性能を高める観点から、後方変位するペダルブラケットの後端側を側面視で円弧状のガイド面を有するガイド部材に当接させ、当該ガイド面上を摺動させることでペダルブラケットの後端側を車両下方側へ塑性変形させ、これによりペダルパッドを車両前方側へ回転変位させる技術が従来から提案されている（下記特許文献参照）。
【特許文献１】特開平９−１２３９４８号公報
【特許文献２】特開平１０−１６７３３号公報
【特許文献３】特開平１１−３０１４３１号公報
【発明の開示】
【発明が解決しようとする課題】
【０００４】
しかしながら、上述した従来の方法による場合、ペダルブラケットを塑性変形させることが前提となるため、変形モードを安定化させることが難しい。
【０００５】
その一方で、ペダルブラケットを塑性変形し易く構成する必要があるため、通常時のペダル操作に耐え得る剛性を確保することが難しい。
【０００６】
すなわち、変形モードを安定化させることと通常のペダル操作時の剛性を確保することは本来的に背反事項であるため、両立させることが難しかった。
【０００７】
本発明は上記事実を考慮し、車両前部への所定の高荷重作用時に安定した乗員保護性能を確保することができ、しかも通常のペダル操作時の剛性を確保することができる車両用ペダル支持構造を得ることが目的である。
【課題を解決するための手段】
【０００８】
請求項１記載の本発明に係る車両用ペダル支持構造は、ダッシュパネルに前端側が取り付けられたペダルブラケットに、下端部に乗員の踏力が付与される踏面を備えた吊り下げ式の車両用ペダルを、ペダルボスを中心として揺動可能に支持する車両用ペダル支持構造であって、前記車両用ペダルにはペダルボスよりも上方側に位置する受圧部が設けられていると共に、前記ペダルブラケットの後端側には前記受圧部よりも上方側に位置する押圧部が設けられており、ペダルブラケットの後方変位時には前記受圧部と前記押圧部との間に差し込まれ、ペダルブラケットの後方変位に伴って受圧部と押圧部との間に食い込むことで受圧部に押圧部から離間する方向へのペダルボス回りの回転力を付与するペダル回転変位手段を設けた、ことを特徴としている。
【０００９】
請求項２記載の本発明に係る車両用ペダル支持構造は、ダッシュパネルに前端側が取り付けられたペダルブラケットに、下端部に乗員の踏力が付与される踏面を備えた吊り下げ式の車両用ペダルを、ペダルボスを中心として揺動可能に支持する車両用ペダル支持構造であって、前記車両用ペダルにはペダルボスよりも上方側に位置する受圧部が設けられていると共に、前記ペダルブラケットの後端側には前記受圧部よりも上方側に位置する押圧部が設けられており、ペダルブラケットの後方変位時には前記受圧部と前記押圧部との間に差し込まれ、ペダルブラケットの後方変位に伴って受圧部及び押圧部に対する相対的な当接位置がペダルボス側へずれることで受圧部に押圧部から離間する方向へのペダルボス回りの回転力を付与するペダル回転変位手段を設けた、ことを特徴としている。
【００１０】
請求項３記載の本発明に係る車両用ペダル支持構造は、請求項１又は請求項２記載の発明において、前記ペダル回転変位手段は、前記受圧部と前記押圧部との間に差し込まれる楔部材と、前記ダッシュパネルよりも後方側に配置された高強度の車体側構成部材に支持され、前記楔部材を前記ペダルボス側へ移動可能に保持しかつペダルブラケットの後方変位時には当該楔部材を当該ペダルボス側へ移動させるガイド部を備えた支持部材と、を含んで構成されている、ことを特徴としている。
【００１１】
請求項１記載の本発明によれば、車両前部に所定値以上の高荷重が作用すると、その際の荷重によってダッシュパネルが車両後方側へ変位することがある。この場合、ダッシュパネルに前端側が取り付けられたペダルブラケットも車両後方側へ変位し、これに支持された車両用ペダルも同方向へ変位する。
【００１２】
ここで、本発明では、車両用ペダルにはペダルボスよりも上方側に位置する受圧部が設けられていると共に、ペダルブラケットの後端側には受圧部よりも上方側に位置する押圧部が設けられており、ペダルブラケットの後方変位時には、受圧部と押圧部との間にペダル回転変位手段が差し込まれる。そして、ペダルブラケットの後方変位に伴って当該ペダル回転変位手段が受圧部と押圧部との間に食い込み、これにより受圧部に押圧部から離間する方向へのペダルボス回りの回転力が付与される。このため、車両用ペダルの下端部に設けられ乗員の踏力が付与されるペダルパッドは、ペダルボス回りに車両前方側へ回転変位される。
【００１３】
しかも、本発明では、車両用ペダルに受圧部を設けると共にペダルブラケットの後端側に押圧部を設け、両者の間に介在するペダル回転変位手段をペダルブラケットの後方変位に伴って食い込み移動する移動子として利用し、押圧部に反力を取って受圧部を押圧部から離間する方向へ押し下げる構成であるため、ペダルブラケット自体を塑性変形させる必要はない。従って、本発明の場合、従来構造のようにペダルブラケットの変形モードを安定化させる困難さは伴わない。また、ペダルブラケット自体を塑性変形させる必要はないので、通常時のペダル操作の剛性を容易に確保できる。
【００１４】
請求項２記載の本発明によれば、車両前部に所定値以上の高荷重が作用すると、その際の荷重によってダッシュパネルが車両後方側へ変位することがある。この場合、ダッシュパネルに前端側が取り付けられたペダルブラケットも車両後方側へ変位し、これに支持された車両用ペダルも同方向へ変位する。
【００１５】
ここで、本発明では、車両用ペダルにはペダルボスよりも上方側に位置する受圧部が設けられていると共に、ペダルブラケットの後端側には受圧部よりも上方側に位置する押圧部が設けられており、ペダルブラケットの後方変位時には、受圧部と押圧部との間にペダル回転変位手段が差し込まれる。そして、ペダルブラケットの後方変位に伴って当該ペダル回転変位手段が受圧部及び押圧部に対する相対的な当接位置がペダルボス側へずれていき、これにより受圧部に押圧部から離間する方向へのペダルボス回りの回転力が付与される。このため、車両用ペダルの下端部に設けられ乗員の踏力が付与されるペダルパッドは、ペダルボス回りに車両前方側へ回転変位される。
【００１６】
しかも、本発明では、車両用ペダルに受圧部を設けると共にペダルブラケットの後端側に押圧部を設け、両者の間に介在するペダル回転変位手段をペダルブラケットの後方変位に伴ってペダルボス側へずれ込み移動する移動子として利用し、押圧部に反力を取って受圧部を押圧部から離間する方向へ押し下げる構成であるため、ペダルブラケット自体を塑性変形させる必要はない。従って、本発明の場合、従来構造のようにペダルブラケットの変形モードを安定化させる困難さは伴わない。また、ペダルブラケット自体を塑性変形させる必要はないので、通常時のペダル操作の剛性を容易に確保できる。
【００１７】
請求項３記載の本発明によれば、ダッシュパネルよりも後方側には高強度の車体側構成部材が配置されており、かかる車体側構成部材に支持部材が支持されている。この支持部材はガイド部を備えており、ペダルブラケットが後方変位すると、それに伴って受圧部と押圧部との間に差し込まれた楔部材をペダルボス側へ移動させる。従って、楔部材と支持部材があれば、請求項１又は請求項２記載の発明を成立させることができるので、構造が煩雑化することもない。
【発明の効果】
【００１８】
以上説明したように、請求項１記載の本発明に係る車両用ペダル支持構造は、車両用ペダルにペダルボスよりも上方側に位置する受圧部を設けると共に、ペダルブラケットの後端側に受圧部よりも上方側に位置する押圧部を設け、ペダルブラケットの後方変位時には受圧部と押圧部との間に差し込まれ、ペダルブラケットの後方変位に伴って受圧部と押圧部との間に食い込むことで受圧部に押圧部から離間する方向へのペダルボス回りの回転力を付与するペダル回転変位手段を設けたので、ペダルブラケットを塑性変形させることなく車両用ペダルのペダルパッドを車両前方側へ回転変位させることができ、その結果、車両前部への所定の高荷重作用時に安定した乗員保護性能を確保することができ、しかも通常のペダル操作時の剛性を確保することができるという優れた効果を有する。
【００１９】
請求項２記載の本発明に係る車両用ペダル支持構造は、車両用ペダルにペダルボスよりも上方側に位置する受圧部を設けると共に、ペダルブラケットの後端側に受圧部よりも上方側に位置する押圧部を設け、ペダルブラケットの後方変位時には受圧部と押圧部との間に差し込まれ、ペダルブラケットの後方変位に伴って受圧部及び押圧部に対する相対的な当接位置がペダルボス側へずれることで受圧部に押圧部から離間する方向へのペダルボス回りの回転力を付与するペダル回転変位手段を設けたので、ペダルブラケットを塑性変形させることなく車両用ペダルのペダルパッドを車両前方側へ回転変位させることができ、その結果、車両前部への所定の高荷重作用時に安定した乗員保護性能を確保することができ、しかも通常のペダル操作時の剛性を確保することができるという優れた効果を有する。
【００２０】
請求項３記載の本発明に係る車両用ペダル支持構造は、請求項１又は請求項２記載の発明において、受圧部と押圧部との間に差し込まれる楔部材と、ダッシュパネルよりも後方側に配置された高強度の車体側構成部材に支持され、楔部材をペダルボス側へ移動可能に保持しかつペダルブラケットの後方変位時には当該楔部材を当該ペダルボス側へ移動させるガイド部を備えた支持部材と、を含んで、前述したペダル回転変位手段を構成したので、構造の簡素化を図ることができるという優れた効果を有する。
【発明を実施するための最良の形態】
【００２１】
〔第１の実施の形態〕
以下、図１〜図３を用いて、本発明の第１の実施の形態について説明する。
【００２２】
図１には、「車両用ペダル」としてのブレーキペダル１０の組付状態の全体構成図が側面視で示されている。この図に示されるように、エンジンルーム１２とキャビン１４とを仕切る位置には、ダッシュパネル１６が略垂直に配設されている。ダッシュパネル１６の下端部は車体フロアを構成する図示しないフロアパネルの上面に結合されており、又ダッシュパネル１６の上端部は車両幅方向を長手方向として配設された図示しないカウルの下面に結合されている。
【００２３】
上述したダッシュパネル１６の高さ方向の所定位置には、吊り下げ式のブレーキペダル１０を揺動可能に軸支するペダルブラケット１８及び乗員の踏力を増強するブレーキブースタ２０がボルト及びナットによって共締めされている。ブレーキブースタ２０はダッシュパネル１６の前面側に配置されており、その軸芯部には増強された踏力を液圧に変換するマスタシリンダ２２が取り付けられている。さらに、マスタシリンダ２２にはリザーバタンク２４が一体的に設けられている。
【００２４】
また、ダッシュパネル１６におけるブースタ取付位置には所定の開口が形成されており、かかる開口からプッシュロッド２６がキャビン１４側へ突出されている。プッシュロッド２６の先端部には平面視で略コ字状を成すクレビス２８が取り付けられており、かかるクレビス２８の両側部間に後述するブレーキペダル１６のペダルアーム１０Ａの高さ方向中間部が挿入状態で配置され、クレビスピン３０によって相対回転可能に連結されている。プッシュロッド２６の基端部はブレーキブースタ２０の軸芯部に連結されており、軸方向移動することにより乗員の踏力をブレーキブースタ２０に伝達するようになっている。なお、これらのプッシュロッド２６、ブレーキブースタ２０、マスタシリンダ２２、及びリザーバタンク２４は、広義には「踏力伝達手段」として把握される要素である。
【００２５】
一方、上述したダッシュパネル１６の後面側に配置されたペダルブラケット１８は、下方及び後方が開放された略コ字状断面に形成されており（図３参照）、前端部には略矩形平板状のベース部１８Ａがスポット溶接等により固着されている。このベース部１８Ａが前述したブレーキブースタ２０と共にダッシュパネル１６に締結されることにより、ペダルブラケット１８の前端側がダッシュパネル１６に取り付けられている。また、ペダルブラケット１８は互いに平行に配置された一対の側壁部１８Ｂを備えており、かかる側壁部１８Ｂの後端下部にブレーキペダル１０のペダルボス３２が揺動可能に軸支される構成である。
【００２６】
さらに、ペダルブラケット１８の後端側は、前方及び後方並びに下方が開放された断面略コ字状のガイド３４に離脱可能に取り付けられている。より具体的に説明すると、ダッシュパネル１６の車両後方側には、「車体側構成部材」としての高強度のパイプ状のインパネリインフォース３６が車両幅方向を長手方向として配置されている。かかるインパネリインフォース３６の長手方向の所定位置には、「支持部材」としてのガイド３４が溶接等により強固に固定されている。ガイド３４の前端部には上方側へ屈曲された取付部３４Ａが一体に形成されており、かかる取付部３４Ａの前面側に側面視で略Ｌ字状に形成された取付ブラケット３８がボルト及びナットによって締結されている。取付ブラケット３８の下部にはボルト挿通孔が形成されており、これに対応してペダルブラケット１８の頂壁部１８Ｃの後端側の幅方向中間部にはボルト挿通孔と重合するスリット３９（図３参照）が形成されている。そして、これらのボルト挿通孔及びスリット３９を利用してボルト及びナットで両者が所定のトルクで締結されることにより、車両後方側への所定値以上の荷重が締結部に作用することにより、ペダルブラケット１８の後端側が取付ブラケット３８から離脱される構成である。
【００２７】
ここで、上述したペダルブラケット１８の両側壁部１８Ｂに揺動可能に軸支されたブレーキペダル１０は、所定の形状を成すペダルアーム１０Ａと、このペダルアーム１０Ａの下端部に固着されて乗員の踏力が付与されるペダルパッド１０Ｂとを含んで構成されている。ペダルアーム１０Ａにおけるペダルボス３２よりも上方側に位置する部分は車両後方側へ弓形に張り出され（延出され）ている（以下、この部分を「受圧部４０」と称す）。一方、上述したペダルブラケット１８の両側壁部１８Ｂの後端側には、ペダルアーム１０Ａの受圧部４０よりも上方側に位置しかつ車両後方側へ張り出され（延出され）ている（以下、この部分を「押圧部４２」と称す）。受圧部４０と押圧部４２とは側面視で交差しており、両者の間には略三角形状の隙間４４が形成されている。
【００２８】
さらに、上述したガイド３４の両側部３４Ｂには、車両後方側へ向かうにつれて車両下方側へ下がる略円弧形状の「ガイド部」としてのガイド溝４６がそれぞれ形成されている。左右一対のガイド溝４６には、外径が溝幅よりも若干小さい程度の「楔部材」としてのガイドピン４８が挿入状態で配置されている。そして、上記ガイドピン４８がブレーキペダル１０の受圧部４０とペダルブラケット１８の押圧部４２との間に形成された隙間４４に差し込まれた状態（挿入状態）で配置されている。組付状態では、ガイドピン４８はガイド溝４６の上端部に位置しており、受圧部４０の受圧面（前端面）４０Ａ並びに押圧部４２の押圧面（後端面）４２Ａの双方に点接触した状態で保持されている。
【００２９】
なお、上記構成におけるガイド３４及びガイドピン４８が本発明における「ペダル回転変位手段」に相当する。
【００３０】
次に、本実施形態の作用並びに効果について説明する。
【００３１】
図１に示される状態がブレーキペダル１０の組付状態（初期状態）である。この状態のときには、ガイドピン４８はガイド溝４６の上端部に保持されており、ブレーキペダル１０の受圧部４０とペダルブラケット１８の押圧部４２との隙間４４の入口側に位置されている。
【００３２】
この状態から図２に示される如く、車両前部に所定値以上の高荷重が作用すると、その際の荷重によってマスタシリンダ２２及びブレーキブースタ２０を介してダッシュパネル１６が車両後方側へ変位することがある。この場合、ダッシュパネル１６に前端側が取り付けられたペダルブラケット１８も車両後方側へ変位しようとし、ペダルブラケット１８の後端側を固定している締結具がスリット３９から抜け、ペダルブラケット１８の後端側が取付ブラケット３８から離脱される。
【００３３】
ペダルブラケット１８の後端側の離脱後、ペダルブラケット１８がなおも車両後方側へ変位することにより、ガイドピン４８がペダルブラケット１８の押圧部４２の押圧面４２Ａによって押圧され、受圧部４０と押圧部４２との間の隙間４４を徐々にペダルボス３２側へ押し込まれて（食い込んで）いく。この動作によって、ガイドピン４８は、ペダルブラケット１８の押圧面４２Ａに反力を取ってブレーキペダル１０の受圧部４０の受圧面４０Ａを押し下げていく。なお、ガイドピン４８の移動は、ガイド３４のガイド溝４６によってガイドされる。これにより、受圧部４０に押圧部４２から離間する方向へのペダルボス３２回りの回転力が付与される。このため、ブレーキペダル１０のペダルパッド１０Ｂが、ペダルボス３２回りに車両前方側へ回転変位される。その結果、本実施形態に係る車両用ペダル支持構造によれば、車両前部への所定の高荷重作用時に安定した乗員保護性能を確保することができる。
【００３４】
しかも、本実施形態に係る車両用ペダル支持構造では、ブレーキペダル１０に受圧部４０を設けると共にペダルブラケット１８の後端側に押圧部４２を設け、両者の間に差し込まれたガイドピン４８をペダルブラケット１８の後方変位に伴ってペダルボス３２側へずれ込み移動する移動子として利用し、押圧部４２に反力を取って受圧部４０を押圧部４２から離間する方向へ押し下げる構成であるため、ペダルブラケット１８自体を塑性変形させる必要はない。従って、本実施形態の場合、従来構造のようにペダルブラケットの変形モードを安定化させる困難さは伴わない。また、ペダルブラケット自体を塑性変形させる必要はないので、通常時のペダル操作の剛性は容易に確保できる。その結果、本実施形態に係る車両用ペダル支持構造によれば、通常のペダル操作時の剛性を確保することができる。
【００３５】
すなわち、本実施形態に係る車両用ペダル支持構造によれば、車両前部への所定の高荷重作用時における安定した乗員保護性能の確保と通常のペダル操作時におけるペダルブラケットの剛性確保の両立を図ることができる。
【００３６】
また、本実施形態に係る車両用ペダル支持構造では、ダッシュパネル１６よりも後方側に配置された高強度のインパネリインフォース３６にガイド溝４６が形成されたガイド３４を取り付けると共に、当該ガイド溝４６内に楔として機能するガイドピン４８を組付けて受圧部４０と押圧部４２との隙間４４の入口側に差し込み状態で配置するだけでよいので、構造が煩雑化することもない。従って、本実施形態によれば、少ない部品点数で発明を成立させることができるので、構造の簡素化及び低コスト化を図ることができる。
【００３７】
さらに、本実施形態に係る車両用ペダル支持構造では、ペダルブラケット１８の後方変位時にペダルブラケット１８の後端側がインパネリインフォース３６側の取付ブラケット３８から離脱する構成であるため、インパネリインフォース３６側への入力荷重を低減させることができるというメリットもある。従って、この点からも、乗員保護性能の向上が図られている。
【００３８】
〔第２の実施の形態〕
次に、図４を用いて、本発明の第２の実施の形態について説明する。なお、前述した第１の実施の形態と同一構成部分には、同一番号を付してその説明を省略する。
【００３９】
前述した第１の実施の形態では、ペダルブラケット１８の一対の側壁部１８Ｂの後端側を所定形状に切り欠くことにより押圧部４２を形成したが、この第２の実施の形態では、図４に示されるように、ペダルブラケット５２の一対の側壁部５２Ａの後端側にガイド溝４６と交差する別のガイド溝５４を形成することにより、ガイド溝５４の上縁側を押圧部５６として用いるものである。
【００４０】
組付状態では、ガイド３４のガイド溝４６の上端部とペダルブラケット５２のガイド溝５４の上端部とが交差しており、この位置にガイドピン４８が保持されている。また、ガイド３４のガイド溝４６は側面視で前傾しているのに対し、ペダルブラケット５２のガイド溝５４は側面視で後傾している。従って、ペダルブラケット５２が車両後方側へ変位すると、ペダルブラケット５２のガイド溝５４の上縁側の内周壁面にガイドピン４８が押されて、ガイド３４のガイド溝４６に沿って下降していく。このときガイドピン４８によってブレーキペダル１０のペダルアーム１０Ａの受圧部４０が車両下方側へ押圧されてペダルボス３２回りの車両前方側への回転力が付与される。従って、本実施形態においても、前述した第１の実施の形態と同様の作用・効果が得られる。
【００４１】
また、ペダルブラケット５２の頂壁部５２Ｂとインパネリインフォース３６側の取付ブラケット３８との締結時に、双方のガイド溝４６、５４の上端部同士が重合するように位置決めし、ガイドピン４８を挿通させればよいので、組付作業性を向上させることができる。
【００４２】
さらに、ペダルブラケット５２にガイド溝５４を設けたことにより、作動時にガイドピン４８がペダルブラケット５２から外れる心配もない。
【００４３】
〔実施の形態の補足説明〕
上述した第１及び第２の各実施形態では、ダッシュパネル１６が主として車両後方側へ略平行に変位するような場合を想定し、そのような場合にはペダルブラケット１６の後方変位に伴ってガイドピン４８が受圧部４０と押圧部４２との間の隙間４４に食い込む楔として機能するという説明をしてきたが、ダッシュパネル１６が異なる変形挙動を示した場合、例えばダッシュパネル１６がブレーキブースタ２０の下端部付近を回転中心として車両後方側かつ車両下方側へ回転変位したような場合であっても、ブレーキペダル１０のペダルパッド１０Ｂは車両前方側へ回転変位する。つまり、ダッシュパネル１６が前記の如く車両後方側かつ車両下方側へ回転すると、ガイドピン４８による楔効果（食い込み効果）は得られなくなるが、本実施形態のようにペダルブラケット１８の剛性が高く実質的な塑性変形が生じないとすれば、ペダルブラケット１８とブレーキペダル１０は組付時の状態（幾何学的な状態）を略そのまま維持したまま全体として一体的にダッシュパネル１６と同方向へ回転変位する。従って、ペダルパッド１０Ｂも車両前方側へ変位する。
【００４４】
また、上述した第１及び第２の各実施形態では、ペダルブラケット１８、５２の後端側のガイド３４からの離脱手段としてスリット３９並びにボルト及びナットを組み合わせた構成を用いたが、これに限らず、所定値以上の荷重が作用することにより、インパネリインフォース３６側の要素からペダルブラケット１８、５２の後端側を離脱させることができる構成であればよい。例えば、スリット３９並びにボルト及びナットの構成に替えて、車両後方側への所定値以上の荷重が作用することにより剪断又は剥離するように接合強度が設定されたスポット溶接を利用してもよい。
【００４５】
さらに、上述した第１及び第２の各実施形態では、楔部材としてガイドピン４８を用いたが、これに限らず、受圧部４０を押圧部４２から離間させることができる部材であれば、すべて適用可能である。
【００４６】
また、上述した第１及び第２の各実施形態では、インパネリインフォース３６にペダルブラケット１８、５２の後端側が離脱可能に支持されていたが、これに限らず、ダッシュパネル１６の後方変位時に相対的に後方変位しない高強度の車体側構成部材として把握される要素であればよい。従って、例えば、車種によってはインパネリインフォース３６の替わりにカウル等にペダルブラケットの後端側が離脱可能に支持されていてもよい。
【００４７】
さらに、上述した第１及び第２の各実施形態では、ガイド３４の両側部３４Ｂに長孔状のガイド溝４６を形成する構成を採ったが、これに限らず、他のガイド部の構成を採用してもよい。例えば、ガイド溝に替えてガイドレールを設ける構成を採ってもよい。
【図面の簡単な説明】
【００４８】
【図１】第１の実施の形態に係る車両用ペダル支持構造の全体構成を示す組付状態の側面図である。
【図２】所定値以上の高荷重が車両前部に作用してペダルブラケットが後方変位したときの状態を示す作動説明用の側面図である。
【図３】受圧部、押圧部、ガイド、ガイドピンを拡大して示す要部拡大斜視図である。
【図４】第２の実施の形態に係る車両用ペダル支持構造の全体構成を示す組付状態の側面図である。
【符号の説明】
【００４９】
１０    ブレーキペダル（車両用ペダル）
１０Ｂ    ペダルパッド（踏面）
１６    ダッシュパネル
１８    ペダルブラケット
２０    ブレーキブースタ
３２    ペダルボス
３４    ガイド（ペダル回転変位手段、支持部材）
３６    インパネリインフォース（車体側構成部材）
４０    受圧部
４２    押圧部
４４    隙間
４６    ガイド溝（ガイド部）
４８    ガイドピン（ペダル回転変位手段、楔部材）
５２    ペダルブラケット
５６    押圧部
【図１】
2005075098.tif 000003
【図２】
2005075098.tif 000004
【図３】
2005075098.tif 000005
【図４】
2005075098.tif 000006